(57)【特許請求の範囲】
【請求項１】
複数の中空の庇材を幅方向に連設して庇板を形成した建物用庇であって、
隣り合う前記庇材を互いに接合するための接合部を備え、
前記接合部は、一方の庇材に設けられた上係合部と、他方の庇材に設けられた下係合部と、を備え、
前記上係合部と前記下係合部とを上下に重ねて互いに係合可能とし、
前記下係合部の先端を延出させて第１延出部を形成し、
前記第１延出部は、先端方向へ行くに従って下方に傾斜しており、
前記第１延出部の下方に第２延出部を形成し、
前記第２延出部は、先端方向へ行くに従って下方に傾斜するとともに、前記第１延出部よりも短く形成されていることを特徴とする、建物用庇。
【請求項２】
前記第１延出部及び前記第２延出部の先端の鉛直下方に樋部を設けたことを特徴とする、請求項１記載の建物用庇。
【請求項３】
前記接合部として、第１の接合部と、前記第１の接合部よりも下方に設けられた第２の接合部と、を備え、
前記第２の接合部の上係合部及び下係合部は、前記庇材の底板よりも上方に配置されていることを特徴とする、請求項１または２記載の建物用庇。
【発明の詳細な説明】
【技術分野】
【０００１】
この発明は、建物の軒先などに取り付けられる建物用庇に関する。
【背景技術】
【０００２】
従来、この種の建物用庇として、複数の庇材を幅方向に連設して庇板を形成したものが知られている。
【０００３】
例えば特許文献１には、壁側に後端部が取り付けられ僅かな傾斜角で前下がりに支持される庇板を備え、この庇板はアルミ押し出しにより作られ前後方向に向き隣り合う側部同士が互いに結合される多数本の中間型材と、中間型材を所定本数結合して作られたパネルの左右両側部に結合されるべくアルミ押し出しにより作られた端部型材と、この端部型材が結合されたパネルの前端部に結合される先端見切りブラケットと、この先端見切りブラケットとともにパネルの前端部を覆うようにパネルに装着される先端見切り部材とから構成され、隣り合う中間型材同士の結合部および中間型材と端部型材との結合部内部において庇板の上面から浸入する雨水を受ける樋と樋をオーバーフローした雨水を受ける樋とが長さ方向全長に亘って形成されており、前記先端見切り部材には庇板の樋と樋とに落ちた雨水を先端見切りブラケットに形成された切り欠き部を介して受けるための樋をこの先端見切り部材の横長さ方向全長に亘って形成され、先端見切り部材の横長さ方向両端を閉じる蓋体の下端には前記先端見切り部材の樋の下端の位置で切り欠き部が形成されて、先端見切り部材の樋内に落ちた雨水を蓋体の切り欠き部より庇板の横から外部へ排出するようにした構成が開示されている。このような構成によれば、庇板の内部に浸入した雨水が庇板の下面の不特定の位置より雫状に落ちるようなことがなく、庇板の両側の定位置から抜くことができるとされている。
【０００４】
なお、この特許文献１記載の構成では、結合部において互いに係合した両係合部間にピンを差し込み、また互いに係合した両係合部間に先端見切りブラケットの取り付け用ねじをねじ込むことにより両係合部が互いに上下方向に突っ張り合うようにして、隣り合う中間型材同士を結合させている。
【先行技術文献】
【特許文献】
【０００５】
【特許文献１】特許第４９１６５０２号公報
【発明の概要】
【発明が解決しようとする課題】
【０００６】
しかし、上記した特許文献１記載の構成では、結合部のすべてにピンを差し込んで中間型材及び端部型材を結合しなければならないため、作業性が悪いという問題があった。
また、ピンを差し込むことにより上下方向へ突っ張り合って型材を結合しているため、ピンが外れた場合に突っ張りがゆるむおそれがあった。
【０００７】
なお、特許文献１記載の構成では、中間型材又は端部型材に形成された下部の樋１７ｊ
，２１ｊの底部は、型材の端部が重なり合って二重になっている。このような構造の場合、樋１７ｊ，２１ｊの端まで流れてきた水が樋１７ｊ，２１ｊから流れ落ちるときに、重なりあった端部の間に形成された微細な隙間に表面張力によって水が入り込み、この水が型材の下面から染み出すおそれがあった。
そこで、本発明は、複数の庇材を幅方向に連設して庇板を形成する建物用庇において、庇材を容易に接合可能とすることを課題とする。
【０００８】
また、望ましくは、庇板の内部に浸入した雨水が庇材の接合箇所から漏れ出すことがなく、確実に庇板の先端部から排水できる建物用庇を提供することを課題とする。
【課題を解決するための手段】
【０００９】
本発明は、上記した課題を解決するためになされたものであり、以下を特徴とする。
【００１０】
請求項１記載の発明は、複数の中空の庇材を幅方向に連設して庇板を形成した建物用庇であって、隣り合う前記庇材を互いに接合するための接合部を備え、前記接合部は、一方の庇材に設けられた上係合部と、他方の庇材に設けられた下係合部と、を備え、前記上係合部と前記下係合部とを上下に重ねて互いに係合可能とし、前記下係合部の先端を延出させて第１延出部を形成し、前記第１延出部は、先端方向へ行くに従って下方に傾斜しており、前記第１延出部の下方に第２延出部を形成し、前記第２延出部は、先端方向へ行くに従って下方に傾斜するとともに、前記第１延出部よりも短く形成されていることを特徴とする。
【００１１】
【００１２】
請求項２に記載の発明は、上記した請求項１記載の発明の特徴点に加え、前記第１延出部及び前記第２延出部の先端の鉛直下方に樋部を設けたことを特徴とする。
【００１３】
請求項３に記載の発明は、上記した請求項１または２記載の発明の特徴点に加え、前記接合部として、第１の接合部と、前記第１の接合部よりも下方に設けられた第２の接合部と、を備え、前記第２の接合部の上係合部及び下係合部は、前記庇材の底板よりも上方に配置されていることを特徴とする。
【発明の効果】
【００１４】
請求項１に記載の発明は上記の通りであり、隣り合う庇材を互いに接合するための接合部を備え、前記接合部は、一方の庇材に設けられた上係合部と、他方の庇材に設けられた下係合部と、を備え、前記上係合部と前記下係合部とを上下に重ねて互いに係合可能とした。このような構成によれば、隣り合う庇材を互いに略水平方向に押し付けて係合させるだけで、庇材を容易に結合することができる。
【００１５】
また、前記上係合部または前記下係合部の少なくともいずれかの先端を延出させて延出部を形成し、前記延出部は、先端方向へ行くに従って下方に傾斜している。このような構成によれば、接合部から庇板の内部に浸入した雨水を延出部によって所定の排水経路に導くことができるので、雨水が接合部から漏れ出すことを防止して、庇板の先端部から排水させることができる。
【００１６】
また、請求項２に記載の発明は上記の通りであり、前記接合部の下方に樋部を設けた。このような構成によれば、接合部から庇板の内部に浸入した雨水を樋部によって先端方向へ送り、庇板の先端部から排水させることができる。
【００１７】
また、請求項３に記載の発明は上記の通りであり、前記接合部として、第１の接合部と、前記第１の接合部よりも下方に設けられた第２の接合部と、を備え、前記第２の接合部の上係合部及び下係合部は、前記庇材の底板よりも上方に配置されている。このような構成によれば、下方に配置された第２の接合部が庇材の底板よりも上方であるため、庇材の底板上を流れた雨水が端部から流れ落ちるときに、雨水が第２の接合部の隙間に入り込むことがない。よって、表面張力によって雨水が逆流して接合部から漏れ出すといった問題を防止できる。
【図面の簡単な説明】
【００１８】
【図１】建物用庇の外観図である。
【図２】建物用庇の（ａ）側面図、（ｂ）一部拡大側面図である。
【図３】（ａ）左端庇材の正面図、（ｂ）中間庇材の正面図、（ｃ）右端庇材の正面図である。
【図４】接合部の一部拡大図であって、（ａ）接合前の図、（ｂ）接合後の図である。
【発明を実施するための形態】
【００１９】
本発明の実施形態について、図を参照しながら説明する。
【００２０】
本実施形態に係る建物用庇１０は、直射日光や雨水などを遮るために建物の軒先などに取り付けられるものであり、図１に示すように、複数の中空の庇材２０を幅方向に連設して形成された庇板１３と、庇板１３の後端部に固定される取付部材１１と、庇板１３の先端部に固定される先端部材１２と、を備える。
【００２１】
取付部材１１は、建物の壁面に建物用庇１０を取り付けるための部材である。この取付部材１１は、図示しないアンカーボルトなどによって建物の壁面に固定される。この取付部材１１の前面には庇板１３が取り付けられる。このとき、雨水が庇板１３の先端方向に流れるように、庇板１３の先端側が下方向に傾斜するように取り付けてもよい。
【００２２】
先端部材１２は、庇板１３の先端部を覆うように取り付けられるアルミ押出形材である。この先端部材１２は横樋１２ａを備えている。横樋１２ａは先端部材１２の全長に渡って形成されており、庇板１３の先端に先端部材１２を取り付けたときに庇板１３の上面に連続するように形成されている。このため、庇板１３の上面を雨水が流れてくると、この雨水が横樋１２ａに導かれるようになっている。また、この横樋１２ａの内側（反先端側）には、横樋１２ａと平行に補助樋１２ｂが設けられている。この補助樋１２ｂも先端部材１２の全長に渡って形成されており、庇板１３の先端に先端部材１２を取り付けたときに庇板１３の底板４２の上面に連続するように形成されている。このため、庇板１３の内部に入り込んだ雨水が庇板１３の底板４２の上面を流れてくると、この雨水が補助樋１２ｂに導かれるようになっている。
【００２３】
庇材２０は、庇板１３を形成するための中空のアルミ押出形材である。本実施形態に係る庇板１３は、図３に示す３種類の庇材２０、すなわち、左端庇材２０ａと、中間庇材２０ｂと、右端庇材２０ｃと、を組み合わせて形成されている。これらの３種類の庇材２０は、すべて同じ尺で形成された長尺の板状部材であり、上下の高さ寸法もほぼ同じに設定されている。
【００２４】
（左端庇材２０ａ）
左端庇材２０ａは、庇板１３の左端に取り付けられる庇材２０である。この左端庇材２０ａは、図３（ａ）に示すように、正面から見た左側に略垂直な側板４４が設けられ、上側に略水平な上板４１が設けられ、下側に略水平な底板４２が設けられ、右側は別の庇材２０を取り付けるために開放されている。左端庇材２０ａの内部には、上板４１と底板４２とを繋ぐように略垂直な中間板４３が設けられている。この中間板４３には、先端部材１２等を取り付けるためのビスホール４３ａが設けられている。
【００２５】
また、この左端庇材２０ａの開放された右側は、上板４１と底板４２と中間板４３とによって略コ字形に開口している。上板４１の先端には、後述する第１の接合部２１を形成する第１上係合部２２が設けられている。この第１上係合部２２の下面は、上板４１及び底板４２と略平行となっており、第１突条部２３が下方に向けて突出形成されている。一方、底板４２の先端は、略直角に上方向へと立ちあげられて立ち上り部４５を形成している。この立ち上り部４５の先端には、内側方向へ略水平に延出する第２下係合部３４が設けられている。この第２下係合部３４は後述する第２の接合部３１を形成するものである。この第２下係合部３４の上面は、上板４１及び底板４２と略平行となっており、第２突条部３５が上方へ向けて突出形成されている。
【００２６】
また、この左端庇材２０ａの開放された右側の内部には、中間板４３と底板４２と立ち上り部４５とによって、上向きに開口した略コ字形の樋部４６が形成されている。この樋部４６は、庇材２０の接合部から入り込んだ雨水を流すためのものである。
【００２７】
（中間庇材２０ｂ）
中間庇材２０ｂは、庇板１３の左端と右端とを除いた中間に取り付けられる庇材２０である。この中間庇材２０ｂは、図３（ｂ）に示すように、正面から見た左側に略垂直な側板４４が設けられ、上側に略水平な上板４１が設けられ、下側に略水平な底板４２が設けられ、右側は別の庇材２０を取り付けるために開放されている。中間庇材２０ｂの内部には、上板４１と底板４２とを繋ぐように略垂直な中間板４３が設けられている。この中間板４３には、先端部材１２等を取り付けるためのビスホール４３ａが設けられている。
【００２８】
この中間庇材２０ｂの左側には、側板４４の表面から３つのリブ状の突起が突出している。これらの突起は中間庇材２０ｂの長手方向全長に渡って形成されている。
【００２９】
一番上の突起は第１下係合部２４を形成している。この第１下係合部２４は、前述した第１上係合部２２と相俟って第１の接合部２１を構成する。この第１下係合部２４の上面は、上板４１及び底板４２と略平行となっており、この上面に第１溝部２５が形成されている。また、この第１下係合部２４の先端に連続するように、第１延出部２６が設けられている。この第１延出部２６は、図３（ｂ）に示すように、先端方向へ行くに従って下方に傾斜している。
【００３０】
上から二番目の突起は第２延出部３０を形成している。この第２延出部３０は、先端方向へ行くに従って下方に傾斜している。この第２延出部３０は、第１延出部２６の先端からの雨水の落下を阻害しないように、第１延出部２６よりも短く（突出量が小さく）形成されている。
【００３１】
上から三番目の突起は第２上係合部３２を形成している。この第２上係合部３２は、前述した第２下係合部３４と相俟って第２の接合部３１を構成する。この第２上係合部３２の下面は、上板４１及び底板４２と略平行となっており、この下面に第２溝部３３が形成されている。この第２上係合部３２は、第１延出部２６及び第２延出部３０の先端から落下した雨水が当たらないように、第１延出部２６及び第２延出部３０よりも短く（突出量が小さく）形成されている。
【００３２】
また、この中間庇材２０ｂの開放された右側は、上記した左端庇材２０ａの開放された右側と同様の構成である。すなわち、上板４１の先端には、後述する第１の接合部２１を形成する第１上係合部２２が設けられ、この第１上係合部２２の下面には第１突条部２３が突出形成されている。一方、底板４２の先端は、略直角に上方向へと立ちあげられて立ち上り部４５を形成している。この立ち上り部４５の先端には、後述する第２の接合部３１を形成する第２下係合部３４が設けられ、この第２下係合部３４の上面には第２突条部３５が突出形成されている。また、この中間庇材２０ｂの開放された右側の内部には、上向きに開口した略コ字形の樋部４６が形成されている。
【００３３】
（右端庇材２０ｃ）
右端庇材２０ｃは、庇板１３の右端に取り付けられる庇材２０である。この右端庇材２０ｃは、図３（ｃ）に示すように、正面から見た左右両側に略垂直な側板４４が設けられ、上側に略水平な上板４１が設けられ、下側に略水平な底板４２が設けられている。この右端庇材２０ｃの内部には、上板４１と底板４２とを繋ぐように略垂直な中間板４３が設けられている。この中間板４３には、先端部材１２等を取り付けるためのビスホール４３ａが設けられている。
この右端庇材２０ｃ左側は、上記した中間庇材２０ｂの左側と同様の構成であり、側板４４の表面から突出する３つのリブ状の突起を有している。
【００３４】
一番上の突起は第１下係合部２４を形成している。この第１下係合部２４は、前述した第１上係合部２２と相俟って第１の接合部２１を構成する。この第１下係合部２４の上面には第１溝部２５が形成されており、また、この第１下係合部２４の先端には第１延出部２６が形成されている。この第１延出部２６は、先端方向へ行くに従って下方に傾斜している。
上からニ番目の突起は第２延出部３０を形成している。この第２延出部３０は、先端方向へ行くに従って下方に傾斜している。
【００３５】
上から三番目の突起は第２上係合部３２を形成している。この第２上係合部３２は、前述した第２下係合部３４と相俟って第２の接合部３１を構成する。この第２上係合部３２の下面には第２溝部３３が形成されている。
【００３６】
（庇材２０の接合について）
上記したように、本実施形態に係る庇材２０は左右側部に他の庇材２０を接続するための係合部を備えており、左側の係合部と右側の係合部とが互いに対応して係合するようになっている。具体的には、図４（ｂ）に示すように、隣り合う庇材２０を互いに接合するための接合部として、第１の接合部２１と、この第１の接合部２１よりも下方に設けられた第２の接合部３１と、を備えている。
【００３７】
第１の接合部２１は、一方の庇材２０に設けられた第１上係合部２２と、他方の庇材２０に設けられた第１下係合部２４と、が接合される部分である。一方の庇材２０と他方の庇材２０とを互いに水平に移動させて側部を押し付けると、第１上係合部２２と第１下係合部２４とが上下に重なるようになっている。このとき、一方の庇材２０と他方の庇材２０とが上下にずれている場合には、第１上係合部２２の先端が第１延出部２６の上面でガイドされて第１下係合部２４の方向へ向かうようになっている。第１上係合部２２と第１下係合部２４とが重なり始めると、第１上係合部２２及び第１下係合部２４の少なくともいずれかが上下に弾性変形し、第１上係合部２２の下面の第１突条部２３が第１下係合部２４の上面に乗り上げた状態となる。この状態から、第１上係合部２２と第１下係合部２４とが完全に重なり合うまで押し込むと、第１上係合部２２の下面の第１突条部２３が第１下係合部２４の上面の第１溝部２５に嵌り込み、第１上係合部２２と第１下係合部２４とが互いに弾発的に係合するようになっている。
【００３８】
また、第２の接合部３１は、一方の庇材２０に設けられた第２下係合部３４と、他方の庇材２０に設けられた第２上係合部３２と、が接合される部分である。一方の庇材２０と他方の庇材２０とを互いに水平に移動させて側部を押し付けると、第２上係合部３２と第２下係合部３４とが上下に重なるようになっている。第２上係合部３２と第２下係合部３４とが重なり始めると、第２上係合部３２及び第２下係合部３４の少なくともいずれかが上下に弾性変形し、第２下係合部３４の下面の第２突条部３５が第２上係合部３２の下面を押し上げた状態となる。この状態から、第２上係合部３２と第２下係合部３４とが完全に重なり合うまで押し込むと、第２下係合部３４の下面の第２突条部３５が第２上係合部３２の下面の第２溝部３３に嵌り込み、第２上係合部３２と第２下係合部３４とが互いに弾発的に係合するようになっている。
【００３９】
このように上下の二箇所に接合部を設け、一方の庇材２０に設けられた第１上係合部２２及び第２下係合部３４によって、他方の庇材２０に設けられた第１下係合部２４及び第２上係合部３２を上下から挟みこむように保持しているため、安定的に庇材２０を接合できるようになっている。
【００４０】
しかも、これらの接合部が互いに平行に配置されており、突条部と溝部とが係合することで固定されるようになっているため、２つの庇材２０を互いに水平に押し付けるだけで接合することができ、作業性がよい。
【００４１】
上記のように庇材２０を接合すると、図４（ｂ）に示すように、庇材２０の間に形成される上面の隙間を埋めるように第１下係合部２４が配置される。言い換えると、庇材２０の間に形成される上面の隙間の鉛直下方に第１下係合部２４が配置されている。そして、この第１下係合部２４の先端には傾斜した第１延出部２６が設けられている。よって、庇材２０の間に形成される上面の隙間から雨水等が入り込んだとしても、この雨水は第１下係合部２４を伝って第１延出部２６の方へ流れ、第１延出部２６の先端から落下するようになっている。
【００４２】
なお、もし第１延出部２６の先端まで到達した雨水の一部が第１延出部２６の裏側を伝って流れたとしても、第１延出部２６の下方には傾斜した第２延出部３０が設けられているため、この第２延出部３０の先端方向へ雨水が流れて落下するようになっている。
【００４３】
そして、この第１延出部２６及び第２延出部３０の先端の鉛直下方には、樋部４６が設けられている。このため、第１延出部２６又は第２延出部３０の先端から落下した雨水は、接合部の下方に設けられた樋部４６に落下することになる。樋部４６へ落下した雨水は、庇材２０の底板４２に沿って流れ、庇材２０の先端の開口から排出される。この先端の開口に臨むように先端部材１２の補助樋１２ｂが設けられているため、樋部４６の先端から排出された雨水は補助樋１２ｂへと流れ込むようになっている。
【００４４】
なお、本実施形態においては、第２の接合部３１を構成する第２上係合部３２及び第２下係合部３４は、庇材２０の底板４２よりも上方に配置されている。このため、樋部４６を流れた雨水が先端の開口から排出されるときに、第２の接合部３１に水が入り込むことがない。例えば、第２上係合部３２と第２下係合部３４との微小な隙間に表面張力によって雨水が浸入し、雨水が庇材２０の下方の隙間から漏れ出すといった問題を防止することができる。
【００４５】
（まとめ）
以上説明したように、本実施形態によれば、隣り合う庇材２０を互いに接合するための接合部を備え、接合部は、一方の庇材２０に設けられた上係合部と、他方の庇材２０に設けられた下係合部と、を備え、上係合部と下係合部とを上下に重ねて互いに係合可能とした。このような構成によれば、隣り合う庇材２０を互いに略水平方向に押し付けて係合させるだけで、庇材２０を容易に結合することができる。
【００４６】
また、第１下係合部２４の先端を延出させて第１延出部２６を形成し、この第１延出部２６は、先端方向へ行くに従って下方に傾斜している。このような構成によれば、接合部から庇板１３の内部に浸入した雨水を第１延出部２６によって所定の排水経路に導くことができるので、雨水が接合部から漏れ出すことを防止して、庇板１３の先端部から排水させることができる。
【００４７】
また、接合部の下方に樋部４６を設けた。このような構成によれば、接合部から庇板１３の内部に浸入した雨水を樋部４６によって先端方向へ送り、庇板１３の先端部から排水させることができる。
【００４８】
また、前記接合部として、第１の接合部２１と、前記第１の接合部２１よりも下方に設けられた第２の接合部３１と、を備え、前記第２の接合部３１の第２上係合部３２及び第２下係合部３４は、前記庇材２０の底板４２よりも上方に配置されている。このような構成によれば、下方に配置された第２の接合部３１が庇材２０の底板４２よりも上方であるため、庇材２０の底板４２上を流れた雨水が端部から流れ落ちるときに、雨水が第２の接合部３１の隙間に入り込むことがない。よって、表面張力によって雨水が逆流して接合部から漏れ出すといった問題を防止できる。
【００４９】
なお、上記した実施形態においては、第１下係合部２４の先端を延出させて第１延出部２６を形成することとした。しかしながら、本発明の実施形態としてはこれに限らない。すなわち、どの部分を延出させることが望ましいかは係合部の構成によって異なるため、例えば第１上係合部２２の先端を延出させることができる構成であれば、第１上係合部２２の先端を延出させて先端方向へ行くに従って下方に傾斜させてもよい。また、第２の接合部３１を構成する第２上係合部３２又は第２下係合部３４の先端を延出させて先端方向へ行くに従って下方に傾斜させてもよい。
【符号の説明】
【００５０】
１０  建物用庇
１１  取付部材
１２  先端部材
１２ａ  横樋
１２ｂ  補助樋
１３  庇板
２０  庇材
２０ａ  左端庇材
２０ｂ  中間庇材
２０ｃ  右端庇材
２１  第１の接合部
２２  第１上係合部
２３  第１突条部
２４  第１下係合部
２５  第１溝部
２６  第１延出部
３０  第２延出部
３１  第２の接合部
３２  第２上係合部
３３  第２溝部
３４  第２下係合部
３５  第２突条部
４１  上板
４２  底板
４３  中間板
４３ａ  ビスホール
４４  側板
４５  立ち上り部
４６  樋部
【図１】
0006587520.tif 000002
【図２】
0006587520.tif 000003
【図３】
0006587520.tif 000004
【図４】
0006587520.tif 000005